(57)【要約】  本出願の実施例は、充電方法、端末及びコンピュータ記憶媒体を開示し、充電方法は、急速充電機能をオンにする前に、バッテリの電気量と電力消費パラメータとを検出するステップと、バッテリの電気量と電力消費パラメータとに基づいて、充電推定時間を決定するステップと、急速充電機能をオンにした後、充電推定時間に基づいて充電異常が発生したか否かを判断するステップと、充電異常が発生したと判断された場合、急速充電機能をオフにするステップと、を含む。
2021503266.tif 000002
【特許請求の範囲】
【請求項１】
充電方法であって、
急速充電機能をオンにする前に、バッテリの電気量と電力消費パラメータとを検出するステップと、
前記バッテリの電気量と前記電力消費パラメータとに基づいて、充電推定時間を決定するステップと、
前記急速充電機能をオンにした後、前記充電推定時間に基づいて充電異常が発生したか否かを判断するステップと、
前記充電異常が発生したと判断された場合、前記急速充電機能をオフにするステップと、を含む、
ことを特徴とする充電方法。
【請求項２】
前記充電推定時間に基づいて充電異常が発生したか否かを判断するステップの前に、前記方法は、
前記急速充電機能をオンにした場合、充電時間を記録するステップをさらに含む、
ことを特徴とする請求項１に記載の充電方法。
【請求項３】
前記充電推定時間に基づいて充電異常が発生したか否かを判断するステップは、
前記充電時間が前記充電推定時間以上である場合、現在の充電状態を検出するステップと、
前記現在の充電状態に基づいて前記充電異常が発生したか否かを判断するステップと、を含む、
ことを特徴とする請求項２に記載の充電方法。
【請求項４】
前記充電推定時間が急速充電完了時間である場合、前記現在の充電状態に基づいて前記充電異常が発生したか否かを判断するステップは、
前記現在の充電状態が急速充電終了である場合、前記充電異常が発生していないと判断するステップと、
前記現在の充電状態が前記急速充電終了ではない場合、前記充電異常が発生したと判断するステップと、を含む、
ことを特徴とする請求項３に記載の充電方法。
【請求項５】
前記充電推定時間が定電流完了時間である場合、前記現在の充電状態に基づいて前記充電異常が発生したか否かを判断するステップは、
前記現在の充電状態が定電流充電である場合、前記充電異常が発生したと判断するステップと、
前記現在の充電状態が前記定電流充電ではない場合、前記充電異常が発生していないと判断するステップと、を含む、
ことを特徴とする請求項３に記載の充電方法。
【請求項６】
前記充電推定時間が昇圧完了時間である場合、前記現在の充電状態に基づいて前記充電異常が発生したか否かを判断するステップは、
前記現在の充電状態が昇圧状態である場合、前記充電異常が発生したと判断するステップと、
前記現在の充電状態が前記昇圧状態ではない場合、前記充電異常が発生していないと判断するステップと、を含む、
ことを特徴とする請求項３に記載の充電方法。
【請求項７】
前記充電推定時間に基づいて充電異常が発生したか否かを判断するステップの後に、前記方法は、
前記充電異常が発生したと判断された場合、電力低減命令を送信するステップと、
前記電力低減命令に応答するための電力低減応答を受信するステップと、
前記電力低減応答に基づいて充電するステップと、をさらに含む、
ことを特徴とする請求項５又は６のいずれかに記載の充電方法。
【請求項８】
前記バッテリの電気量と電力消費パラメータとを検出するステップの前に、前記方法は、
要求命令を受信するステップをさらに含み、前記要求命令は、接続を確立し、且つ前記急速充電機能をオンにすることを要求するものである、
ことを特徴とする請求項１に記載の充電方法。
【請求項９】
前記電力消費パラメータを検出するステップは、
現在の作動状態と現在の作動中のアプリケーションとを検出するステップと、
前記現在の作動状態と前記現在の作動中のアプリケーションとに基づいて、前記電力消費パラメータを決定するステップと、を含む、
ことを特徴とする請求項１に記載の充電方法。
【請求項１０】
端末であって、
急速充電機能をオンにする前に、バッテリの電気量と電力消費パラメータとを検出するための検出部と、
前記バッテリの電気量と前記電力消費パラメータとに基づいて、充電推定時間を決定するための決定部と、
前記急速充電機能をオンにした後、前記充電推定時間に基づいて充電異常が発生したか否かを判断するための判断部と、
前記充電異常が発生したと判断された場合、前記急速充電機能をオフにするためのオフ部と、を含む、
ことを特徴とする端末。
【請求項１１】
前記端末は、
前記充電推定時間に基づいて充電異常が発生したか否かを判断する前に、前記急速充電機能をオンにした場合、充電時間を記録するための記録部をさらに含む、
ことを特徴とする請求項１０に記載の端末。
【請求項１２】
前記判断部は、具体的には、前記充電時間が前記充電推定時間以上である場合、現在の充電状態を検出し、さらに前記現在の充電状態に基づいて前記充電異常が発生したか否かを判断する、
ことを特徴とする請求項１１に記載の端末。
【請求項１３】
端末であって、
プロセッサと、前記プロセッサにより実行可能な命令が記憶されているメモリと、を含み、
前記命令が実行される場合、前記プロセッサが請求項１〜９のいずれかに記載の方法を実現する、
ことを特徴とする端末。
【請求項１４】
端末に適用されるプログラムが記憶されているコンピュータ読み取り可能な記憶媒体であって、
前記プログラムがプロセッサにより実行される場合に、請求項１〜９のいずれかに記載の方法が実現される、
ことを特徴とするコンピュータ読み取り可能な記憶媒体。
【発明の詳細な説明】
【技術分野】
【０００１】
本出願の実施例は、端末分野の充電技術に関し、特に、充電方法、端末及びコンピュータ記憶媒体に関する。
【背景技術】
【０００２】
急速充電技術は、アダプタを介して多段階定電流の方式を採用して端末のバッテリを充電することができるため、安全性と信頼性を確保する前提に急速充電することができ、端末の充電速度を大幅に向上させる。端末は、アダプタと両方向通信を確立することで大電流充電を行って急速充電を実現するため、一旦、端末が急速充電する時に異常が発生すると重大な結果を引き起こす可能性があるため、急速充電時に異常充電状況をモニタリングすることが特に重要である。
【発明の概要】
【発明が解決しようとする課題】
【０００３】
本出願の実施例は、端末が急速充電した場合、異常充電のモニタリングを実現することができ、端末の安全性とインテリジェンスを向上させる充電方法、端末及びコンピュータ記憶媒体を提供する。
【課題を解決するための手段】
【０００４】
本出願の実施例の技術案は、以下のように実現される。
本出願の実施例は、充電方法を提供し、前記方法は、
急速充電機能をオンにする前に、バッテリの電気量と電力消費パラメータとを検出するステップと、
前記バッテリの電気量と前記電力消費パラメータとに基づいて、充電推定時間を決定するステップと、
前記急速充電機能をオンにした後、前記充電推定時間に基づいて充電異常が発生したか否かを判断するステップと、
前記充電異常が発生したと判断された場合、前記急速充電機能をオフにするステップと、を含む。
【０００５】
選択可能に、前記充電推定時間に基づいて充電異常が発生したか否かを判断するステップの前に、前記方法は、
前記急速充電機能をオンにした場合、充電時間を記録するステップをさらに含む。
【０００６】
選択可能に、前記充電推定時間に基づいて充電異常が発生したか否かを判断するステップは、
前記充電時間が前記充電推定時間以上である場合、現在の充電状態を検出するステップと、
前記現在の充電状態に基づいて前記充電異常が発生したか否かを判断するステップと、を含む。
【０００７】
選択可能に、前記充電推定時間が急速充電完了時間である場合、前記現在の充電状態に基づいて前記充電異常が発生したか否かを判断するステップは、
前記現在の充電状態が急速充電終了である場合、前記充電異常が発生していないと判断するステップと、
前記現在の充電状態が前記急速充電終了ではない場合、前記充電異常が発生したと判断するステップと、を含む。
【０００８】
選択可能に、前記充電推定時間が定電流完了時間である場合、前記現在の充電状態に基づいて前記充電異常が発生したか否かを判断するステップは、
前記現在の充電状態が定電流充電である場合、前記充電異常が発生したと判断するステップと、
前記現在の充電状態が前記定電流充電ではない場合、前記充電異常が発生していないと判断するステップと、を含む。
【０００９】
選択可能に、前記充電推定時間が昇圧完了時間である場合、前記現在の充電状態に基づいて前記充電異常が発生したか否かを判断するステップは、
前記現在の充電状態が昇圧状態である場合、前記充電異常が発生したと判断するステップと、
前記現在の充電状態が前記昇圧状態ではない場合、前記充電異常が発生していないと判断するステップと、を含む。
【００１０】
選択可能に、前記充電推定時間に基づいて充電異常が発生したか否かを判断するステップの後に、前記方法は、
前記充電異常が発生したと判断された場合、電力低減命令を送信するステップと、
前記電力低減命令に応答するための電力低減応答を受信するステップと、
前記電力低減応答に基づいて充電するステップと、をさらに含む。
【００１１】
選択可能に、前記バッテリの電気量と電力消費パラメータとを検出するステップの前に、前記方法は、
要求命令を受信するステップをさらに含み、前記要求命令は、接続を確立し、且つ前記急速充電機能をオンにすることを要求するものである。
【００１２】
選択可能に、前記電力消費パラメータを検出するステップは、
現在の作動状態と現在の作動中のアプリケーションとを検出するステップと、
前記現在の作動状態と前記現在の作動中のアプリケーションとに基づいて、前記電力消費パラメータを決定するステップと、を含む。
【００１３】
本出願の実施例は、端末を提供し、前記端末は、
急速充電機能をオンにする前に、バッテリの電気量と電力消費パラメータとを検出するための検出部と、
前記バッテリの電気量と前記電力消費パラメータとに基づいて、充電推定時間を決定するための決定部と、
前記急速充電機能をオンにした後、前記充電推定時間に基づいて充電異常が発生したか否かを判断するための判断部と、
前記充電異常が発生したと判断された場合、前記急速充電機能をオフにするためのオフ部と、を含む。
【００１４】
選択可能に、前記端末は、
前記充電推定時間に基づいて充電異常が発生したか否かを判断する前に、前記急速充電機能をオンにした場合、充電時間を記録するための記録部をさらに含む。
【００１５】
選択可能に、前記判断部は、具体的には、前記充電時間が前記充電推定時間以上である場合、現在の充電状態を検出し、さらに前記現在の充電状態に基づいて前記充電異常が発生したか否かを判断する。
【００１６】
本出願の実施例は、端末を提供し、前記端末は、プロセッサと、前記プロセッサにより実行可能な命令が記憶されているメモリとを含み、前記命令が実行される場合に、前記プロセッサが上記の充電方法を実現する。
【００１７】
端末に適用されるプログラムが記憶されているコンピュータ読み取り可能な記憶媒体であり、前記プログラムがプロセッサにより実行される場合に、上記の充電方法が実現される。
【発明の効果】
【００１８】
本出願の実施例は、充電方法、端末及びコンピュータ記憶媒体を提供し、端末が急速充電機能をオンにする前に、バッテリの電気量と電力消費パラメータとを検出し、バッテリの電気量と電力消費パラメータとに基づいて、充電推定時間を決定し、急速充電機能をオンにした後、充電推定時間に基づいて充電異常が発生したか否かを判断し、充電異常が発生したと判断された場合、急速充電機能をオフにする。これから分かるように、本出願の実施例において、端末は、急速充電する前に、バッテリの電気量と電力消費状況とに基づいて急速充電に必要な充電推定時間を推定することができ、急速充電機能をオンにした後、充電推定時間と真の充電時間とに基づいて充電異常状況が存在するか否かを決定することができることによって、端末が急速充電した場合、異常充電のモニタリングを実現することができ、一旦充電異常があるとモニタリングすると、急速充電を迅速に終了することができ、端末の安全性とインテリジェンスをさらに効果的に向上させることができる。
【図面の簡単な説明】
【００１９】
【図１】本出願の実施例における急速充電通信フローの概略図である。
【図２】本出願の実施例により提供される充電方法の実現フローの概略図である。
【図３】バッテリの電気量、電力消費パラメータ及び充電推定時間の概略図である。
【図４】本出願の実施例により提供される端末の概略構成図１である。
【図５】本出願の実施例により提供される端末の概略構成図２である。
【図６】本出願の実施例により提供される端末の概略構成図３であう。
【発明を実施するための形態】
【００２０】
以下、本出願の実施例における図面に組み合わせて、本出願の実施例における技術案を明確且つ完全に説明する。ここで説明される具体的な実施例は、当該出願の限定ではなく、関連する出願を解釈するためにのみ使用されることを理解されたい。なお、説明を容易にするために、図面には、出願に関連する部分のみが示されている。
【００２１】
端末が急速充電する際に、カスタマイズされたアダプタ及びバッテリでフラッシュ充電機能を実現する必要があり、一般に、フラッシュ充電用のアダプタには、マイクロコントローラユニット（ｍｉｃｒｏｃｏｎｔｒｏｌｌｅｒ  Ｕｎｉｔ、ＭＣＵ）スマートチップが配置されているため、当該アダプタは、アップグレード可能なスマート充電器である。
【００２２】
さらに、本出願の実施例において、図１に示すように、図１は、本出願の実施例における急速充電通信フローの概略図である。アダプタが端末に急速充電するプロセスは、主に、以下のような五つの段階を含むことができる。
段階１：端末がアダプタタイプを検出し、アダプタがアダプタと端末との間のハンドシェーク通信をオンにし、アダプタが急速充電モードをオンにするか否かを問い合わせる命令を端末に送信し、端末が急速充電をオンにすることを同意した後、急速充電通信フローは段階２に進む。
【００２３】
その中、端末は、Ｄ＋、Ｄ−  によってアダプタタイプを検出することができ、アダプタがユニバーサルシリアルバス（Ｕｎｉｖｅｒｓａｌ  Ｓｅｒｉａｌ  Ｂｕｓ、ＵＳＢ）のタイプを介していない充電装置であることが検出された場合、端末によって吸収された電流は、一つの予め設定された電流値Ｉ２より大きくなる可能性がある。アダプタが予め設定された時間内にアダプタ出力電流がＩ２以上であることを検出した場合、アダプタは、端末がアダプタのタイプ認識が既に完了したと見なされ、アダプタは、アダプタと端末との間のハンドシェーク通信をオンにし、アダプタは、急速充電モードをオンにするか否かを問い合わせる命令を端末に送信する。アダプタが端末が急速充電モードをオンにすることに同意しないことを示す端末の返答命令を受信した場合、アダプタの出力電流を再検出し、アダプタの出力電流が依然にＩ２以上である場合、要求を再開始し、端末が急速充電モードをオンにするか否かを問い合わせ、端末が急速充電モードをオンにすることに同意することを回答するまで、又はアダプタの出力電流がＩ２以上の条件を満たさなくなるまで、段階１の上記のステップを繰り返す。
【００２４】
段階２：アダプタがもう一つの命令を端末に送信し、アダプタの出力電圧がマッチングしているか否かを問い合わせ、端末がアダプタに出力電圧が高い、低い、又はマッチングすると回答した後、出力電圧が適切になるまで、アダプタは出力電圧を調整する。
【００２５】
その中、アダプタが出力する電圧は、複数のポジションを含むことができ、アダプタは、端末に命令送信してアダプタの出力電圧が急速充電モードでの充電電圧として適しているか否かを端末に問い合わせることができ、端末がアダプタの出力電圧が高い又は低いというフィードバックをアダプタが受信した場合、アダプタは、出力電圧を一つのポジションに調整し、端末に命令を再送信し、端末にアダプタの出力電圧がマッチングしているか否かを再問い合わせする。
【００２６】
段階３：アダプタが端末にもう一つの命令を送信し、端末が現在サポートしている最大充電電流を問い合わせ、端末はアダプタの最大充電電流を回答し、段階４に進む。
【００２７】
段階４：アダプタは、出力電流を端末が現在サポートしている最大充電電流に設定することができ、定電流段階、すなわち段階５に進む。
【００２８】
段階５：定電流段階に入る場合、アダプタは、一定時間ごとに別の命令を一回送信して、端末バッテリの現在の電圧を問い合わせることができ、端末は、端末バッテリの現在の電圧をアダプタにフィードバックすることができ、アダプタは、端末が端末バッテリの現在の電圧に対するフィードバックに基づいて、接触が良好であるか否か、及び端末の現在の充電電流値を下げる必要があるか否かを判断することができる。
【００２９】
なお、定電流段階は、アダプタの出力電流が段階５で常に一定に保たれることを指すものではなく、定電流は、多段階定電流であり、すなわち一定時間内に一定に保たれる。
【００３０】
急速充電は、アダプタと端末との両方向通信を確立することによって端末を多段階定電流充電することで実現されるため、急速充電の安全性と信頼性を確保するために、端末が急速充電した場合、充電異常状況に対するモニタリングが特に重要である。
【００３１】
以下、本出願の実施例における図面に組み合わせて、本出願の実施例における技術案を明確且つ完全に説明する。
【００３２】
本出願の一実施例は、充電方法を提供し、図２に示すように、図２は、本出願の実施例により提供される充電方法の実現フローの概略図である。本出願の実施例において、上記の端末を充電する方法は、以下のようなステップを含むことができる。
ステップ１０１、急速充電機能をオンにする前に、バッテリの電気量と電力消費パラメータとを検出する。
【００３３】
本出願の実施例において、上記の端末は、アダプタと接続を確立した後、急速充電機能をオンにする前に、まず、バッテリの電気量と電力消費パラメータとを検出することができる。
【００３４】
さらに、本出願の実施例において、上記の端末は、上記のアダプタに接続可能な充電対象機器であり、その中、上記の端末は、任意の通信と記憶機能を有する端末であってもよく、例えば、タブレットＰＣ、携帯電話、電子リーダ、リモコン、パーソナルコンピュータ（Ｐｅｒｓｏｎａｌ  Ｃｏｍｐｕｔｅｒ、ＰＣ）、ノートＰＣ、車載機器、ネットワークテレビ、ウェアラブルデバイスなどの端末である。
【００３５】
さらに、本出願の実施において、上記の端末は、上記のバッテリの電気量と上記の電力消費パラメータを検出する前に、上記の端末は、先に要求命令を受信することができる。その中、上記の要求命令は、接続を確立し、上記の急速充電機能をオンにする要求及び問い合わせである。
【００３６】
なお、本出願の実施例において、上記の端末は、上記のアダプタとの接続及び通信によって、急速充電の機能を実現することができる。
【００３７】
なお、本出願の実施例において、上記の端末は、上記のアダプタとの接続を確立した後、上記のアダプタは、ＵＳＢインタフェース内のデータ線を介して端末にクロック信号を送信することができ、その中、クロック信号は、上記のアダプタと端末との間の通信シーケンスを示すために用いられる。具体的には、上記のアダプタは、端末にクロック信号を手動的に送信し、且つ上記のアダプタは、端末と接続する全体のプロセス中に当該クロック信号の送信を保持することができるため、当該通信シーケンスの制御下で端末と両方向通信することができる。
【００３８】
さらに、本出願の実施例において、通信シーケンスは、交互に生成される上記のアダプタの命令送信期間と上記のアダプタの命令受信期間とを含む。
【００３９】
さらに、本出願の実施例において、上記のアダプタは、端末に対して急速充電するために用いられることができ、具体的には、上記のアダプタと端末は、ユニバーサルシリアルバス（Ｕｎｉｖｅｒｓａｌ  Ｓｅｒｉａｌ  Ｂｕｓ、ＵＳＢ）インタフェースを介して接続することができ、当該ＵＳＢインタフェースは、通常のＵＳＢインタフェースであってもよく、ｍｉｃｒｏ  ＵＳＢインタフェース又はＴｙｐｅＣインタフェースなどであってもよい。ＵＳＢインタフェース内の電源線は、上記のアダプタが端末に充電するために用いられ、その中、ＵＳＢインタフェース内の電源線は、ＵＳＢインタフェース内のＶＢｕｓ線及び／又は地線であってもよい。ＵＳＢインタフェース内のデータ線は、上記のアダプタと端末との両方向通信に用いられ、当該データ線は、ＵＳＢインタフェース内のＤ＋線及び／又はＤ−線であってもよく、両方向通信とは、アダプタと端末の両方が情報のインタラクションすることを指すことができる。
【００４０】
さらに、本出願の実施例において、上記のアダプタは、通常充電モード及び急速充電モードをサポートすることができ、その中、急速充電モードの充電電流が通常充電モードの充電電流より大きく、すなわち急速充電モードの充電速度が前記通常充電モードの充電速度より大きい。一般に、通常充電モードは、定格出力電圧が５Ｖであり、定格出力電流が２．５Ａ以下の充電モードと理解することができ、また、通常充電モードでは、電源アダプタは、出力ポートＤ＋及びＤ−を短絡することができ、急速充電モードでは、電源アダプタは、Ｄ＋及びＤ−を使用してモバイル端末と通信及びデータ交換することができる。
【００４１】
さらに、本出願の実施例において、上記の端末は、上記のアダプタとの接続を確立した後、急速充電機能をオンにする前に、まず、バッテリの電気量を検出するとともに、端末の電力消費パラメータを検出することができる。
【００４２】
なお、本出願の実施例において、上記の端末は、バッテリの電気量を検出して上記のバッテリの電気量を取得することによって、上記のバッテリの電気量に基づいて充電時間を推定することができる。その中、上記のバッテリの電気量が高いほど、所要の充電時間が相対的に短くなり、それに対応して、上記のバッテリの電気量が低いほど、所要の充電時間が相対的に長くなる。
【００４３】
さらに、本出願の実施例において、上記の端末は、上記の電力消費パラメータを検出することもでき、その中、上記の電力消費パラメータは、上記の端末の現在の電力消費状況を特徴付けることができる。
【００４４】
さらに、本出願の実施例において、上記の端末は、上記の電力消費パラメータを取得する時に、まず、上記の端末に対応する作動中のアプリケーション及び作動状態を検出することができる。その中、上記の端末は、現在の作動状態を検出することができ、その中、上記の現在の作動状態は、待機状態、通話状態、マルチメディア状態などを含むことができ、同時に、上記の端末は、すでに開いているか、又は作動中のアプリケーションソフトウェア、すなわち現在の作動中のアプリケーションを検出することもでき、その中、上記の現在の作動中の参照は、ビデオプレーヤー、ＷｅＣｈａｔ、カメラなどのアプリケーションプログラムを含むことができる。
【００４５】
さらに、本出願の実施例において、上記の端末は、上記の現在の作動状態及び上記の現在の作動中のアプリケーションを検出した後、上記の現在の作動状態と上記の現在の作動中のアプリケーションとに基づいて、上記の電力消費パラメータをさらに決定することができる。
【００４６】
なお、本出願の実施例において、上記の端末は、上記のアダプタと両方向通信を確立することによって急速充電する前に、まず、自身の電気量状況と電力消費状況を決定することができ、すなわち、まず、上記のバッテリの電気量と上記の電力消費パラメータを検出することによって、充電に必要な時間をさらに推定することができる。
【００４７】
ステップ１０２：バッテリの電気量と電力消費パラメータとに基づいて、充電推定時間を決定する。
【００４８】
本出願の実施例において、上記の端末は、上記のバッテリの電気量と上記の電力消費パラメータを検出した後、上記のバッテリの電気量と上記の電力消費パラメータとに基づいて、必要な充電時間を推定し、すなわち充電推定時間を決定することができる。
【００４９】
なお、本出願の実施例において、上記の端末は、バッテリの電気量と、作動状態と、及び作動アプリケーションとに基づいて必要な充電時間を推定及び算出することができ、すなわち上記の端末は、上記のバッテリの電気量と上記の電力消費パラメータと上記の充電推定時間に基づいて算出することができる。
【００５０】
さらに、本出願の実施例において、上記の端末が上記のアダプタを介して急速充電する時に、異なる上記のバッテリの電気量に対して、対応する上記の充電推定時間が異なり、具体的には、上記のバッテリの電気量が高いほど、対応する上記の充電推定時間が短くなる。
【００５１】
さらに、本出願の実施例において、上記の端末が上記のアダプタを介して急速充電する時に、異なる上記の電力消費パラメータに対して、対応する上記の充電推定時間も異なり、具体的には、上記の電力消費パラメータ高いほど、対応する上記の充電推定時間が長くなる。
【００５２】
図３は、バッテリの電気量、電力消費パラメータ及び充電推定時間の概略図である。図３に示すように、バッテリの電気量がいずれも５０％の場合、電力消費パラメータが８０の場合に対応する充電推定時間は、電力消費パラメータが２０の場合に対応する充電推定時間よりもはるかに大きい。
【００５３】
さらに、本出願の実施例において、上記の充電推定時間は、上記の端末が急速充電を完了するのに必要なすべての充電時間であってもよく、上記の端末が急速充電する時にある充電段階での持続時間であってもよく、例えば、上記の充電推定時間は、急速充電完了時間であってもよく、急速充電中の定電流充電時間であってもよい。
【００５４】
なお、本出願の実施例において、上記の端末上記のバッテリの電気量と上記の電力消費パラメータとに基づいて推定された上記の充電推定時間は、上記の端末の急速充電に必要な充電時間を効果的に正確に予測することによって、上記の充電推定時間に基づいて充電状態が正常であるか否かを判断することができる。
【００５５】
ステップ１０３：急速充電機能をオンにした後、充電推定時間に基づいて充電異常が発生したか否かを判断する。
【００５６】
本出願の実施例において、上記の端末は、上記のバッテリの電気量と上記の電力消費パラメータとに基づいて、上記の充電推定時間を決定した後、上記の急速充電機能をオンにした後、上記の充電推定時間に基づいて充電異常が発生したか否かを判断することができる。
【００５７】
さらに、本出願の実施例において、上記の端末は、上記のアダプタと確立された両方向通信によって上記の急速充電機能をオンにした後、上記の急速充電推定時間に基づいて上記の端末の急速充電プロセスをモニタリングすることができ、さらに上記の充電異常が存在するか否かを判断することができる。
【００５８】
なお、本出願の実施例において、上記の端末が急速充電する際に、記録された充電時間が上記の充電推定時間を超える場合、上記の端末は上記の充電異常が発生したと考えられることができる。具体的には、上記の端末が上記の充電推定時間以内に急速充電を完了していないか、又は上記の端末が上記の充電推定時間以内にある充電段階を完了していない場合、上記の端末が急速充電プロセスに異常が発生したと考えられ、すなわち上記の充電異常が存在すると考えられる。
【００５９】
さらに、本出願の実施例において、上記の端末は、上記の充電異常が存在するか否かを判断する場合、リアルタイムの充電時間を上記の充電推定時間と比較する必要があるため、上記の端末は、上記の急速充電機能をオンにした後、また、充電時間をリアルタイムに記録する必要があり、上記の充電推定時間を組み合わせて上記の充電異常が存在するか否かを判断することができる。
【００６０】
ステップ１０４：充電異常が発生したと判断された場合、急速充電機能をオフにする。
【００６１】
本出願の実施例において、上記の端末は、上記の充電推定時間に基づいて上記の充電異常が発生したか否かを判断した後、上記の充電異常が発生したと判断された場合、上記の急速充電機能をオフにすることができる。
【００６２】
さらに、本出願の実施例において、上記の端末は、上記の充電推定時間に基づいて上記の充電異常が存在するか否かを判断した後、上記の充電異常が存在すると判断された場合、上記の端末は、予め設定された保護モードをオンにして、端末に対して充電安全の保護することができる。
【００６３】
なお、本出願の実施例において、上記の予め設定された保護モードは、上記の充電異常に対応するための処理であってもよく、具体的には、上記の予め設定された保護モードは、上記の急速充電機能をオフにして急速充電を終了することができ、上記の予め設定された保護モードは、急速充電の入力電力を低減し、より小さい入力電力で充電することもできる。
【００６４】
本出願の実施例により提供される充電方法は、端末が急速充電機能をオンにする前に、バッテリの電気量と電力消費パラメータとを検出し、バッテリの電気量と電力消費パラメータとに基づいて、充電推定時間を決定し、急速充電機能をオンにした後、充電推定時間に基づいて充電異常が発生したか否かを判断し、充電異常が発生したと判断された場合、急速充電機能をオフにする。これから分かるように、本出願の実施例において、端末は、急速充電する前に、バッテリの電気量と電力消費状況とに基づいて急速充電に必要な充電推定時間を推定することができ、急速充電機能をオンにした後、充電推定時間と真の充電時間とに基づいて充電異常状況が存在するか否かを決定することができることによって、端末が急速充電する場合に、異常充電のモニタリングを実現することができ、一旦充電異常があるとモニタリングすると、急速充電を迅速に終了することができ、端末の安全性とインテリジェンスをさらに効果的に向上させることができる。
【００６５】
上記の実施例に基づいて、本出願の別の実施例において、前記充電推定時間に基づいて充電異常が発生したか否かを判断するステップの前に、上記の端末を充電する方法は、以下のようなステップをさらに含むことができる。
ステップ１０５：急速充電機能をオンにする場合、充電時間を記録する。
【００６６】
本出願の実施例において、上記の端末は、前記充電推定時間に基づいて充電異常が発生したか否かを判断する前に、上記の急速充電機能をオンにした後、充電時間を記録することができる。
【００６７】
なお、本出願の実施例において、上記の端末は、上記の急速充電機能をオンにした後、時間記録を開始し、上記の端末が急速充電する時間を取得し、すなわち上記の充電時間を取得することができる。
【００６８】
なお、本出願の実施例において、上記の端末は、上記の充電異常が存在するか否かを判断する場合、上記の端末急速充電する実際の時間と上記の充電推定時間を組み合わせる必要があるため、上記の端末は、急速充電する時に上記の充電時間を記録することができる。
【００６９】
本出願の実施例において、さらに、上記の端末が前記充電推定時間に基づいて充電異常が発生したか否かを判断する方法は、以下のようなステップを含むことができる。
ステップ２０１：充電時間が充電推定時間以上である場合、現在の充電状態を検出する。
【００７０】
本出願の実施例において、上記の端末は、上記の急速充電機能をオンにして上記の充電時間を記録した後、上記の充電時間が上記の充電推定時間以上である場合、上記の端末は、充電の状態を検出することができ、すなわち現在の充電状態を検出することができる。
【００７１】
なお、本出願の実施例において、上記の充電時間が上記の充電推定時間以上である場合、上記の端末は、急速充電のプロセス全体を既に完了したと考えてもよく、又は急速充電中のある充電段階を既に完了したと考えてもよく、上記の端末は、現在の充電状態を検出する必要があり、すなわち上記の現在の充電状態を検出して、急速充電又は急速充電中のある充電段階を上記の充電推定時間に完了したか否かをさらに決定する。
【００７２】
ステップ２０２：現在の充電状態に基づいて充電異常が発生したか否かを判断する。
【００７３】
本出願の実施例においては、上記の端末は、上記の現在の充電状態を検出した後、上記の現在の充電状態に基づいて上記の充電異常が発生したか否かを判断することができる。
【００７４】
なお、本出願の実施例において、上記の端末は、上記の現在の充電状態を検出した後、上記の現在の充電状態が上記の充電推定時間に対応する充電状態に対応しているか否かをさらに決定することができ、上記の充電異常が発生したか否かを判断することができる。
【００７５】
さらに、本出願の実施において、上記の端末によって検出された上記の現在の充電状態は、上記の充電推定時間に対応する充電状態に対応せず、上記の端末は、上記の充電異常が発生したと判断することができる。例えば、上記の端末の急速充電を完了する充電推定時間は、６０ｍｉｎであり、検出された充電時間が６０ｍｉｎより大きい場合、上記の端末によって検出された充電状態は、急速充電中であり、すなわち上記の端末は、充電推定時間内に急速充電を完了していないため、上記の充電異常が発生したと判断することができる。
【００７６】
本出願の実施例により提供される充電方法は、端末が急速充電機能をオンにする前に、バッテリの電気量と電力消費パラメータとを検出し、バッテリの電気量と電力消費パラメータとに基づいて、充電推定時間を決定し、急速充電機能をオンにした後、充電推定時間に基づいて充電異常が発生したか否かを判断し、充電異常が発生したと判断された場合、急速充電機能をオフにする。これから分かるように、本出願の実施例において、端末は、急速充電する前に、バッテリの電気量と電力消費状況とに基づいて急速充電に必要な充電推定時間を推定することができ、急速充電機能をオンにした後、充電推定時間と真の充電時間とに基づいて充電異常状況が存在するか否かを決定することができることによって、端末が急速充電する場合に、異常充電のモニタリングを実現することができ、一旦充電異常があるとモニタリングすると、急速充電を迅速に終了することができ、端末の安全性とインテリジェンスをさらに効果的に向上させることができる。
【００７７】
上記の実施例に基づいて、本出願のもう一つの実施例において、上記の端末は、現在の充電状態に基づいて前記充電異常が発生したか否かを判断する場合に、以下のような場面を含むことができる。
本出願の実施例において、さらに、前記充電推定時間が急速充電完了時間である場合、上記の端末が前記現在の充電状態に基づいて前記充電異常が発生したか否かを判断する方法は、以下のようなステップを含むことができる。
ステップ２０２a：現在の充電状態が急速充電終了である場合、充電異常が発生していないと判断する。
【００７８】
本出願の実施例において、上記の充電推定時間が急速充電完了時間である場合、上記の端末は、上記の現在の充電状態を検出した後、上記の現在の充電状態が急速充電の終了である場合、上記の端末は、上記の充電異常が発生していないと判断することができる。
【００７９】
なお、本出願の実施例において、充電推定時間が急速充電完了時間である場合、上記の端末は、上記の充電推定時間に従って急速充電を完了する必要があると考えることができるため、上記の端末によって検出されたことが現在の充電状態が急速充電の終了である場合、上記の端末は、急速充電プロセスが正常であり、上記の充電異常が発生していないと考えられることができる。
【００８０】
ステップ２０２ｂ：現在の充電状態が急速充電終了ではない場合、充電異常が発生したと判断する。
【００８１】
本出願の実施例において、上記の充電推定時間が急速充電完了時間である場合、上記の端末は、上記の現在の充電状態を検出した後、上記の現在の充電状態が急速充電終了ではない場合、上記の端末は、上記の充電異常が発生したと判断することができる。
【００８２】
なお、本出願の実施例において、充電推定時間が急速充電完了時間である場合、上記の端末は、上記の充電推定時間に従って急速充電を完了する必要があると考えることができるため、上記の端末によって検出された是現在の充電状態が急速充電終了ではない場合、上記の端末は、急速充電中に上記の充電異常が発生したと考えられることができる。
【００８３】
本出願の実施例において、さらに、前記充電推定時間が定電流完了時間である場合、上記の端末が前記現在の充電状態に基づいて前記充電異常が発生したか否かを判断する方法は、以下のようなステップを含むことができる。
ステップ２０２ｃ：現在の充電状態が定電流充電である場合、充電異常が発生したと判断する。
【００８４】
本出願の実施例において、上記の充電推定時間が定電流完了時間である場合、上記の端末は、上記の現在の充電状態を検出した後、上記の現在の充電状態が定電流充電である場合、上記の端末は、上記の充電異常が発生したと判断することができる。
【００８５】
なお、本出願の実施例において、充電推定時間が定電流完了時間である場合、上記の端末は、上記の充電推定時間に従って定電流充電段階を完了する必要があると考えることができるため、上記の端末によって検出された現在の充電状態が定電流充電である場合、上記の端末は、急速充電中に上記の充電異常が発生したと考えられることができる。
【００８６】
ステップ２０２ｄ：現在の充電状態が定電流充電ではない場合、充電異常が発生していないと判断する。
【００８７】
本出願の実施例において、上記の充電推定時間が定電流完了時間である場合、上記の端末は、上記の現在の充電状態を検出した後、上記の現在の充電状態が定電流充電ではない場合、上記の端末は、上記の充電異常が発生していないと判断することができる。
【００８８】
なお、本出願の実施例において、充電推定時間が定電流完了時間である場合、上記の端末は、上記の充電推定時間に従って定電流充電段階を完了する必要があると考えることができるため、上記の端末によって検出された現在の充電状態が定電流充電ではない場合、上記の端末は、急速充電プロセスが正常であり、上記の充電異常が発生していないと考えられることができる。
【００８９】
本出願の実施例において、さらに、前記充電推定時間が昇圧完了時間である場合、上記の端末が前記現在の充電状態に基づいて前記充電異常が発生したか否かを判断する方法は、以下のようなステップを含むことができる。
ステップ２０２ｅ：現在の充電状態が昇圧状態である場合、充電異常が発生したと判断する。
【００９０】
本出願の実施例において、上記の充電推定時間が昇圧完了時間である場合、上記の端末は、上記の現在の充電状態を検出した後、上記の現在の充電状態が昇圧状態である場合、上記の端末は、上記の充電異常が発生したと判断することができる。
【００９１】
なお、本出願の実施例において、充電推定時間が昇圧完了時間である場合、上記の端末は、上記の充電推定時間に従って昇圧の段階を完了する必要があると考えられることができるため、上記の端末によって検出された現在の充電状態が昇圧状態である場合、上記の端末は、急速充電中に上記の充電異常が発生したと考えられることができる。
【００９２】
ステップ２０２ｆ：現在の充電状態が昇圧状態ではない場合、充電異常が発生していないと判断する。
【００９３】
本出願の実施例において、上記の充電推定時間が昇圧完了時間である場合、上記の端末は、上記の現在の充電状態を検出した後、上記の現在の充電状態が昇圧状態ではない場合、上記の端末は、上記の充電異常が発生してないと判断することができる。
【００９４】
なお、本出願の実施例において、充電推定時間が昇圧完了時間である場合、上記の端末は、上記の充電推定時間に従って昇圧の段階を完了する必要があると考えられることができるため、上記の端末検出された現在の充電状態が昇圧状態ではない場合、上記の端末は、急速充電プロセスが正常であり、上記の充電異常が発生していないと考えられることができる。
【００９５】
本出願の実施例において、さらに、上記の充電推定時間は、上記の端末急速充電する際に対応する他の充電段階の時間を特徴付けるために使用することもでき、本出願は、具体的には限定しない。
【００９６】
本出願の実施例により提供される充電方法は、端末が急速充電機能をオンにする前に、バッテリの電気量と電力消費パラメータとを検出し、バッテリの電気量と電力消費パラメータとに基づいて、充電推定時間を決定し、急速充電機能をオンにした後、充電推定時間に基づいて充電異常が発生したか否かを判断し、充電異常が発生したと判断された場合、急速充電機能をオフにする。これから分かるように、本出願の実施例において、端末は、急速充電する前に、バッテリの電気量と電力消費状況とに基づいて急速充電に必要な充電推定時間を推定することができ、急速充電機能をオンにした後、充電推定時間と真の充電時間とに基づいて充電異常状況が存在するか否かを決定することができることによって、端末が急速充電する場合に、異常充電のモニタリングを実現することができ、一旦充電異常があるとモニタリングすると、急速充電を迅速に終了することができ、端末の安全性とインテリジェンスをさらに効果的に向上させることができる。
【００９７】
上記の実施例に基づいて、本出願のもう一つの実施例において、上記の端末が前記充電推定時間に基づいて充電異常が発生したか否かを判断するステップの後に、上記の端末を充電する方法は、以下のようなステップをさらに含むことができる。
ステップ１０６：充電異常が発生したと判断された場合、電力低減命令を送信する。
【００９８】
ステップ１０７：電力低減命令に応答するための電力低減応答を受信する。
【００９９】
本出願の実施例において、上記の端末は、上記の充電推定時間に基づいて上記の充電異常が発生したか否かを判断した後、上記の充電異常が発生したと判断された場合、上記のアダプタに電力低減命令を送信することができる。
【０１００】
さらに、本出願の実施例において、上記の端末は、上記の充電異常が発生したと決定された後、予め設定された保護モードをオンにすることを選択して、端末に対して充電安全の保護することができる。
【０１０１】
なお、本出願の実施例において、上記の予め設定された保護モードは、上記の充電異常に対応するための処理であってもよく、具体的には、上記の予め設定された保護モードは、上記の急速充電機能をオフにして急速充電を終了することができ、上記の予め設定された保護モードは、急速充電の入力電力を低減し、より小さい入力電力で充電することもできる。
【０１０２】
さらに、本出願の実施例において、上記の端末は、上記のアダプタに上記の電力低減命令を送信した後、上記のアダプタから送信された、上記の電力低減命令に応答するための電力低減応答を受信することができる。
【０１０３】
なお、本出願の実施例において、上記のアダプタは、上記の電力低減命令を受信した後、充電電圧と充電電流を変更することによって、急速充電の充電電力を低減することができる。したがって、上記の電力低減応答には、変更後の充電電流と充電電圧が持たれる。
【０１０４】
ステップ１０８：電力低減応答に基づいて充電する。
【０１０５】
本出願の実施例において、上記の端末は、上記の電力低減命令に応答するための上記の電力低減応答を受信した後、上記の電力低減応答に基づいて充電することができる。
【０１０６】
さらに、本出願の実施例において、上記の端末は、上記の電力低減応答を受信した後、上記の電力低減応答に持たれる変更後の充電電流及び充電電圧に従って充電することによって、それに応じて充電電力を変更することができ、充電電力の低減を実現することができる。
【０１０７】
本出願の実施例により提供される充電方法は、端末が急速充電機能をオンにする前に、バッテリの電気量と電力消費パラメータとを検出し、バッテリの電気量と電力消費パラメータとに基づいて、充電推定時間を決定し、急速充電機能をオンにした後、充電推定時間に基づいて充電異常が発生したか否かを判断し、充電異常が発生したと判断された場合、急速充電機能をオフにする。これから分かるように、本出願の実施例において、端末は、急速充電する前に、バッテリの電気量と電力消費状況とに基づいて急速充電に必要な充電推定時間を推定することができ、急速充電機能をオンにした後、充電推定時間と真の充電時間とに基づいて充電異常状況が存在するか否かを決定することができることによって、端末が急速充電する場合に、異常充電のモニタリングを実現することができ、一旦充電異常があるとモニタリングすると、急速充電を迅速に終了することができ、端末の安全性とインテリジェンスをさらに効果的に向上させることができる。
【０１０８】
上記の実施例に基づいて、本出願のもう一つの実施例において、図４は、本出願の実施例により提供される端末の概略構成図１である。図４に示すように、本出願の実施例により提供される端末１は、検出部１１、決定部１２、判断部１３、オフ部１４、及び記録部１５を含むことができる。
【０１０９】
前記検出部１１は、急速充電機能をオンにする前に、バッテリの電気量と電力消費パラメータとを検出する。
【０１１０】
前記決定部１２は、前記バッテリの電気量と前記電力消費パラメータとに基づいて、充電推定時間を決定する。
【０１１１】
前記判断部１３は、前記急速充電機能をオンにした後、前記充電推定時間に基づいて充電異常が発生したか否かを判断する。
【０１１２】
前記オフ部１４は、前記充電異常が発生したと判断された場合、前記急速充電機能をオフにする。
【０１１３】
さらに、本出願の実施例において、前記記録部１５は、前記充電推定時間に基づいて充電異常が発生したか否かを判断する前に、前記急速充電機能をオンにする場合、充電時間を記録する。
【０１１４】
さらに、本出願の実施例においては、前記判断部１３は、具体的には、前記充電時間が前記充電推定時間以上である場合、現在の充電状態を検出し、及び前記現在の充電状態に基づいて前記充電異常が発生したか否かを判断する。
【０１１５】
さらに、本出願の実施例において、前記判断部１３は、さらに、具体的には、前記充電推定時間が急速充電完了時間である場合、前記現在の充電状態が急速充電の終了である場合、前記充電異常が発生していないと判断され、及び前記現在の充電状態が前記急速充電終了ではない場合、前記充電異常が発生したと判断する。
【０１１６】
さらに、本出願の実施例において、前記判断部１３は、さらに、具体的には、前記充電推定時間が定電流完了時間である場合、前記現在の充電状態が定電流充電である場合、前記充電異常が発生したと判断され、及び前記現在の充電状態が前記定電流充電ではない場合、前記充電異常が発生していないと判断する。
【０１１７】
さらに、本出願の実施例において、前記判断部１３は、さらに、具体的には、前記充電推定時間が昇圧完了時間である場合、前記現在の充電状態が昇圧状態である場合、前記充電異常が発生したと判断され、及び前記現在の充電状態が前記昇圧状態ではない場合、前記充電異常が発生していないと判断する。
【０１１８】
本出願の実施例において、さらに、図５は、本出願の実施例により提供される端末の概略構成図２である。図５に示すように、本出願の実施例により提供される端末１は、送信部１６、受信部１７、及び充電部１８をさらに含むことができる。
【０１１９】
前記送信部１６は、前記充電推定時間に基づいて充電異常が発生したか否かを判断した後、前記充電異常が発生したと判断された場合、電力低減命令を送信する。
【０１２０】
前記受信部１７は、前記電力低減命令に応答するための電力低減応答を受信する。
【０１２１】
前記充電部１８は、前記電力低減応答に基づいて充電する。
【０１２２】
さらに、本出願の実施例において、前記受信部１７は、さらに、前記バッテリの電気量と電力消費パラメータとを検出する前に、要求命令を受信するために用いられ、その中、前記要求命令は、接続を確立し、且つ前記急速充電機能をオンにすることを要求するものである。
【０１２３】
さらに、本出願の実施例において、前記検出部１１は、具体的には、現在の作動状態と現在の作動中のアプリケーションとを検出し、及び前記現在の作動状態と前記現在の作動中のアプリケーションとに基づいて、前記電力消費パラメータを決定する。
【０１２４】
図６は、本出願の実施例により提供される端末の概略構成図３である。図６に示すように、本出願の実施例により提供される端末１は、プロセッサ１９と、プロセッサ１９が実行可能な命令が記憶されているメモリ１１０と、をさらに含むことができ、さらに、端末１は、通信インタフェース１１１と、プロセッサ１９、メモリ１１０、及び通信インタフェース１１１を接続するためのバス１１２と、をさらに含むことができる。
【０１２５】
本出願の実施例において、上記のプロセッサ１９は、専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、デジタル信号プロセッサ（Ｄｉｇｉｔａｌ  Ｓｉｇｎａｌ  Ｐｒｏｃｅｓｓｏｒ、ＤＳＰ）、デジタル信号処理装置（Ｄｉｇｉｔａｌ  Ｓｉｇｎａｌ  Ｐｒｏｃｅｓｓｉｎｇ  Ｄｅｖｉｃｅ、ＤＳＰＤ）、プログラマブルロジックデバイス（ＰｒｏｇＲＡＭｍａｂｌｅ  Ｌｏｇｉｃ  Ｄｅｖｉｃｅ、ＰＬＤ）、フィールドプログラマブルゲートアレイ（Ｆｉｅｌｄ  ＰｒｏｇＲＡＭｍａｂｌｅ  Ｇａｔｅ  Ａｒｒａｙ、ＦＰＧＡ）、中央処理装置（Ｃｅｎｔｒａｌ  Ｐｒｏｃｅｓｓｉｎｇ  Ｕｎｉｔ、ＣＰＵ）、コントローラ、マイクロコントローラ、マイクロプロセッサのうちの少なくとも一つであってもよい。異なるデバイスについては、上記のプロセッサ機能を実現するための電子デバイスは、他のものであってもよく、本出願の実施例は具体的に限定しない。メモリ１１０は、コンピュータ操作命令を含む実行可能なプログラムコードを記憶するために用いられ、メモリ１１０は、高速ＲＡＭメモリを含むことができ、不揮発性メモリを含むこともでき、例えば、少なくとも二つのディスクメモリを含むことができる。
【０１２６】
本出願の実施例において、バス１１２は、通信インタフェース１１１、プロセッサ１９、メモリ１１０、及びこれらのデバイス間の相互通信を接続するために用いられる。
【０１２７】
本出願の実施例において、メモリ１１０は、命令とデータとを記憶する。
【０１２８】
さらに、本出願の実施例において、上記のプロセッサ１９は、急速充電機能をオンにする前に、バッテリの電気量と電力消費パラメータとを検出し、前記バッテリの電気量と前記電力消費パラメータとに基づいて、充電推定時間を決定し、前記急速充電機能をオンにした後、前記充電推定時間に基づいて充電異常が発生したか否かを判断し、前記充電異常が発生したと判断された場合、前記急速充電機能をオフにするために用いられる。
【０１２９】
実際の応用では、上記のメモリは、ランダムアクセスの第１のメモリ（Ｒａｎｄｏｍ−Ａｃｃｅｓｓ  Ｍｅｍｏｒｙ、ＲＡＭ）などの揮発性第１のメモリ（ｖｏｌａｔｉｌｅ  ｍｅｍｏｒｙ）であってもよく、読み取り専用第１のメモリ（Ｒｅａｄ−Ｏｎｌｙ  Ｍｅｍｏｒｙ、ＲＯＭ）、又はフラッシュ第１のメモリ（ｆｌａｓｈ  ｍｅｍｏｒｙ）、ハードディスクドライブ（Ｈａｒｄ  Ｄｉｓｋ  Ｄｒｉｖｅ、ＨＤＤ）、又はソリッドステートドライブ（Ｓｏｌｉｄ−Ｓｔａｔｅ  Ｄｒｉｖｅ、ＳＳＤ）などの不揮発性第１のメモリ（ｎｏｎ−ｖｏｌａｔｉｌｅ  ｍｅｍｏｒｙ）であってもよく、又は上記のタイプの第１のメモリの組み合わせであってもよく、プロセッサに命令及びデータを提供する。
【０１３０】
また、本実施例における各機能モジュールは、一つの処理ユニットに集積されてもよく、各ユニットが物理的に別々に存在してもよく、二つ又は二つ以上のユニットが一つのユニットに集積されもてよい。上記の集積されたユニットは、ハードウェアの形式で実現することができ、ソフトウェア機能モジュールの形式で実現することもできる。
【０１３１】
集積されたユニットが、ソフトウェア機能モジュールの形式で実現され、独立した製品として販売又は使用されない場合、一つのコンピュータ読み取り可能な記憶媒体に記憶することができ、このような理解に基づいて、本実施例の技術案が本質的又は従来技術に貢献する部分又は当該技術案の全部又は一部は、ソフトウェア製品の形式で具体化することができ、当該コンピュータソフトウェア製品は、一つの記憶媒体に記憶され、１台のコンピュータ機器（パーソナルコンピュータ、サーバ、又はネットワークデバイスなどであってもよい）又はｐｒｏｃｅｓｓｏｒ（プロセッサ）が、本実施例の方法の全部又は一部のステップを実行させるためのいくつかの命令を含む。前述の記憶媒体には、Ｕディスク、モバイルハードディスクドライブ、読み取り専用メモリ（Ｒｅａｄ  Ｏｎｌｙ  ｍｅｍｏｒｙ、ＲＯＭ）、ランダムアクセスメモリ（Ｒａｎｄｏｍ  Ａｃｃｅｓｓ  ｍｅｍｏｒｙ、ＲＡＭ）、磁気ディスク、又は光ディスクなど、プログラムコードを記憶することができる様々な媒体を含む。
【０１３２】
本出願の実施例により提供される端末では、当該端末が急速充電機能をオンにする前に、バッテリの電気量と電力消費パラメータとを検出し、バッテリの電気量と電力消費パラメータとに基づいて、充電推定時間を決定し、急速充電機能をオンにした後、充電推定時間に基づいて充電異常が発生したか否かを判断し、充電異常が発生したと判断された場合、急速充電機能をオフにする。これから分かるように、本出願の実施例において、端末は、急速充電する前に、バッテリの電気量と電力消費状況とに基づいて急速充電に必要な充電推定時間を推定することができ、急速充電機能をオンにした後、充電推定時間と真の充電時間とに基づいて充電異常状況が存在するか否かを決定することができることによって、端末が急速充電した場合、異常充電のモニタリングを実現することができ、一旦充電異常があるとモニタリングすると、急速充電を迅速に終了することができ、端末の安全性とインテリジェンスをさらに効果的に向上させることができる。
【０１３３】
本出願の実施例は、プログラムが記憶されている第１のコンピュータ読み取り可能な記憶媒体を提供し、当該プログラムがプロセッサにより実行される場合に、上記の充電方法を実現する。
【０１３４】
具体的には、本実施例における充電方法に対応するプログラム命令は、光ディスク、ハードディスクドライブ、Ｕディスクなどの記憶媒体に記憶されてもよく、当記憶媒体内の充電方法に対応するプログラム命令は、電子機器によって読み出されたり又は実行されたりする場合、以下の、
急速充電機能をオンにする前に、バッテリの電気量と電力消費パラメータとを検出するステップと、
前記バッテリの電気量と前記電力消費パラメータとに基づいて、充電推定時間を決定するステップと、
前記急速充電機能をオンにした後、前記充電推定時間に基づいて充電異常が発生したか否かを判断するステップと、
前記充電異常が発生したと判断された場合、前記急速充電機能をオフにするステップと、を含む。
【０１３５】
当業者は、本出願の実施例から、方法、システム、又はコンピュータプログラム製品を提供することができることを理解することができる。したがって、本出願は、ハードウェア実施例、ソフトウェア実施例、又はソフトウェアとハードウェアを組み合わせる実施例の形式を採用することができる。また、本出願は、コンピュータ利用可能なプログラムコードが含まれているコンピュータ利用可能な記憶媒体（ディスクメモリと光学メモリなどを含むが、これらに限定しない）に実施される一つ又は複数コンピュータプログラム製品の形式を採用することができる。
【０１３６】
本出願は、本出願の実施例に係る方法、機器（システム）、及びコンピュータプログラム製品の実現フローの概略図及び／又はブロック図を参照して説明する。コンピュータプログラム命令によってフローの概略図及び／又はブロック図の各フロー及び／又はブロックを実現することができ、及びフローの概略図及び／又はブロック図のフロー及び／又はブロックの組み合わせを実現することができる。これらのコンピュータプログラム命令を汎用コンピュータ、専用コンピュータ、組込みプロセッサ、又は他のプログラマブルデータ処理デバイスのプロセッサに提供して一つの机器を生成して、コンピュータ又は他のプログラマブルデータ処理デバイスのプロセッサによって実行される命令によって、実現フローの概略図の一つのフロー又は複数のフロー及び／又はブロック図の一つのブロック又は複数のブロックに指定された機能を実現するための装置を生成することができる。
【０１３７】
これらのコンピュータプログラム命令は、コンピュータ又は他のプログラマブルデータ処理デバイスを特定の方式で作動するように指示することができるコンピュータ読み取り可能なメモリに記憶して、当該コンピュータ読み取り可能なメモリに記憶されている命令が命令装置を含む製造品を生成することができ、当該命令装置は、実現フローの概略図の一つのフロー又は複数のフロー及び／又はブロック図の一つのブロック又は複数のブロックに指定される機能を実現する。
【０１３８】
これらのコンピュータプログラム命令は、コンピュータ又は他のプログラマブルデータ処理デバイスに搭載することもでき、コンピュータ又は他のプログラマブル装置上で一連の操作ステップを実行して、コンピュータによって実現される処理を生成することによって、コンピュータ又は他のプログラマブル装置に実行される命令は、実現フローの概略図の一つのフロー又は複数のフロー及び／又はブロック図の一つのブロック又は複数のブロックに指定される機能を実現するためのステップを提供する。
【０１３９】
以上の説明は、本出願の好ましい実施例に過ぎず、本出願の保護範囲を限定するものではない。
【０１４０】
工業上の利用可能性
本出願の実施例は、充電方法、端末及びコンピュータ記憶媒体を提供し、端末が急速充電機能をオンにする前に、バッテリの電気量と電力消費パラメータとを検出し、バッテリの電気量と電力消費パラメータとに基づいて、充電推定時間を決定し、急速充電機能をオンにした後、充電推定時間に基づいて充電異常が発生したか否かを判断し、充電異常が発生したと判断された場合、急速充電機能をオフにする。これから分かるように、本出願の実施例において、端末は、急速充電する前に、バッテリの電気量と電力消費状況とに基づいて急速充電に必要な充電推定時間を推定することができ、急速充電機能をオンにした後、充電推定時間と真の充電時間とに基づいて充電異常状況が存在するか否かを決定することができることによって、端末が急速充電した場合、異常充電のモニタリングを実現することができ、一旦充電異常があるとモニタリングすると、急速充電を迅速に終了することができ、端末の安全性とインテリジェンスをさらに効果的に向上させることができる。
【図１】
2021503266.tif 000003
【図２】
2021503266.tif 000004
【図３】
2021503266.tif 000005
【図４】
2021503266.tif 000006
【図５】
2021503266.tif 000007
【図６】
2021503266.tif 000008
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
端末に適用する充電方法であって、
急速充電機能をオンにする前に、バッテリの電気量と電力消費パラメータとを検出するステップと、
前記バッテリの電気量と前記電力消費パラメータとに基づいて、充電推定時間を決定するステップと、
前記急速充電機能をオンにした後、前記充電推定時間に基づいて充電異常が発生したか否かを判断するステップと、
前記充電異常が発生したと判断された場合、前記急速充電機能をオフにするステップと、を含む、
ことを特徴とする充電方法。
【請求項２】
前記充電推定時間に基づいて充電異常が発生したか否かを判断するステップは、
前記急速充電機能をオンにした場合、充電時間を記録するステップと、
前記充電時間が前記充電推定時間以上である場合、現在の充電状態を検出するステップと、
前記現在の充電状態に基づいて前記充電異常が発生したか否かを判断するステップと、を含む、
ことを特徴とする請求項１に記載の充電方法。
【請求項３】
前記充電推定時間が急速充電完了時間であり、
前記現在の充電状態に基づいて前記充電異常が発生したか否かを判断するステップは、
前記現在の充電状態が急速充電終了である場合、前記充電異常が発生していないと判断するステップと、
前記現在の充電状態が前記急速充電終了ではない場合、前記充電異常が発生したと判断するステップと、を含む、
ことを特徴とする請求項２に記載の充電方法。
【請求項４】
前記充電推定時間が定電流完了時間であり、
前記現在の充電状態に基づいて前記充電異常が発生したか否かを判断するステップは、
前記現在の充電状態が定電流充電である場合、前記充電異常が発生したと判断するステップと、
前記現在の充電状態が前記定電流充電ではない場合、前記充電異常が発生していないと判断するステップと、を含む、
ことを特徴とする請求項２に記載の充電方法。
【請求項５】
前記充電推定時間が昇圧完了時間であり、
前記現在の充電状態に基づいて前記充電異常が発生したか否かを判断するステップは、
前記現在の充電状態が昇圧状態である場合、前記充電異常が発生したと判断するステップと、
前記現在の充電状態が前記昇圧状態ではない場合、前記充電異常が発生していないと判断するステップと、を含む、
ことを特徴とする請求項２に記載の充電方法。
【請求項６】
前記方法は、
前記充電異常が発生したと判断された場合、電力低減命令を送信するステップと、
前記電力低減命令に応答するための電力低減応答を受信するステップと、
前記電力低減応答に基づいて充電するステップと、をさらに含む、
ことを特徴とする請求項１に記載の充電方法。
【請求項７】
前記方法は、
要求命令を受信するステップをさらに含み、前記要求命令は、接続を確立し、且つ前記急速充電機能をオンにすることを要求するものである、
ことを特徴とする請求項１に記載の充電方法。
【請求項８】
前記電力消費パラメータを検出するステップは、
現在の作動状態と現在の作動中のアプリケーションとを検出するステップと、
前記現在の作動状態と前記現在の作動中のアプリケーションとに基づいて、前記電力消費パラメータを決定するステップと、を含む、
ことを特徴とする請求項１に記載の充電方法。
【請求項９】
端末であって、
プロセッサと、
前記プロセッサにより実行可能な命令が記憶されているメモリと、を含み、
前記プロセッサは、前記メモリに記憶されている命令を読み取って実行することで、充電方法を実現し、
前記充電方法は、
急速充電機能をオンにする前に、バッテリの電気量と電力消費パラメータとを検出するステップと、
前記バッテリの電気量と前記電力消費パラメータとに基づいて、充電推定時間を決定するステップと、
前記急速充電機能をオンにした後、前記充電推定時間に基づいて充電異常が発生したか否かを判断するステップと、
前記充電異常が発生したと判断された場合、前記急速充電機能をオフにするステップと、を含む、
ことを特徴とする端末。
【請求項１０】
前記プロセッサは、
前記急速充電機能をオンにした場合、充電時間を記録し、
前記充電時間が前記充電推定時間以上である場合、現在の充電状態を検出し、さらに前記現在の充電状態に基づいて前記充電異常が発生したか否かを判断する、
ことを特徴とする請求項９に記載の端末。
【請求項１１】
端末に適用されるプログラムが記憶されているコンピュータ読み取り可能な記憶媒体であって、
前記プログラムがプロセッサにより実行される場合に、充電方法が実現され、
前記充電方法は、
急速充電機能をオンにする前に、バッテリの電気量と電力消費パラメータとを検出するステップと、
前記バッテリの電気量と前記電力消費パラメータとに基づいて、充電推定時間を決定するステップと、
前記急速充電機能をオンにした後、前記充電推定時間に基づいて充電異常が発生したか否かを判断するステップと、
前記充電異常が発生したと判断された場合、前記急速充電機能をオフにするステップと、を含む
ことを特徴とするコンピュータ読み取り可能な記憶媒体。
【請求項１２】
前記充電推定時間が急速充電完了時間であり、
前記プロセッサは、
前記現在の充電状態が急速充電終了である場合、前記充電異常が発生していないと判断し、
前記現在の充電状態が前記急速充電終了ではない場合、前記充電異常が発生したと判断する、
ことを特徴とする請求項１０に記載の端末。
【請求項１３】
前記充電推定時間が定電流完了時間であり、
前記プロセッサは、
前記現在の充電状態が定電流充電である場合、前記充電異常が発生したと判断し、
前記現在の充電状態が前記定電流充電ではない場合、前記充電異常が発生していないと判断する、
ことを特徴とする請求項１０に記載の端末。
【請求項１４】
前記充電推定時間が昇圧完了時間であり、
前記プロセッサは、
前記現在の充電状態が昇圧状態である場合、前記充電異常が発生したと判断し、
前記現在の充電状態が前記昇圧状態ではない場合、前記充電異常が発生していないと判断する、
ことを特徴とする請求項１０に記載の端末。
【請求項１５】
前記方法プロセッサは、
前記充電異常が発生したと判断された場合、電力低減命令を送信し、
前記電力低減命令に応答するための電力低減応答を受信し、
前記電力低減応答に基づいて充電する、
ことを特徴とする請求項９に記載の端末。
【国際調査報告】
2021503266.tif 000009
2021503266.tif 000010
2021503266.tif 000011
2021503266.tif 000012